(57)【特許請求の範囲】
【請求項１】
光を下方に出射させる向きで電気的な光源を保持して天井材に埋込配設される本体部及び前記本体部の上面に突設された複数個の放熱フィンを有する灯体と、
上方から見て前記複数個の放熱フィンを覆うカバーと、
筒状であって前記放熱フィン間に形成される空冷用流路に一端が連結されたダクトと、
前記ダクトに前記一端側から流入する気流を発生させるファンと、
前記光源を点灯させる電力と前記ファンを駆動する電力とをそれぞれ生成する電源ブロックとを備え、
前記ファンと前記電源ブロックとが、それぞれ前記灯体の側方に配置され、
前記カバーは、前記放熱フィンよりも側方に突出して前記ファンと前記電源ブロックとがそれぞれ固定された固定部を有する
ことを特徴とする照明器具。
【請求項２】
前記カバーと前記ダクトとが１部品で構成されている
ことを特徴とする請求項１記載の照明器具。
【請求項３】
前記ダクトには、前記気流の向きに直交する断面での前記空冷用流路の断面形状が上流側の部位よりも大きくされたトラップ部が設けられている
ことを特徴とする請求項１又は２に記載の照明器具。
【請求項４】
前記電源ブロックには前記気流が通過する流路が設けられている
ことを特徴とする請求項１〜３のいずれか１項に記載の照明器具。
【請求項５】
前記ファンと前記電源ブロックとがそれぞれ前記ダクトに収納されている
ことを特徴とする請求項１記載の照明器具。
【発明の詳細な説明】
【技術分野】
【０００１】
本発明は、照明器具に関するものである。
【背景技術】
【０００２】
従来から、天井面に埋込配設されて下方に光を照射する照明器具であって、空冷のためのファンを備えたものが提供されている（例えば、特許文献１参照）。特に、光源として発光ダイオードが用いられる場合、発光ダイオードは他の電気的な光源に比べて熱による光束の低下や劣化の進行が発生しやすいことから、上記のようなファンが設けられることが多い。
【０００３】
従来、ファンは光源を保持した灯体の上側に配置されていた。
【先行技術文献】
【特許文献】
【０００４】
【特許文献１】特開２０１０−９７９１５号公報
【発明の概要】
【発明が解決しようとする課題】
【０００５】
しかしながら、ファンが灯体の上側に配置された場合、上下方向での寸法が大きくなり、照明器具を配設可能な設置場所の条件が厳しくなってしまう。
【０００６】
本発明は、上記事由に鑑みて為されたものであり、その目的は、上下方向での寸法を小さくすることができる照明器具を提供することにある。
【課題を解決するための手段】
【０００７】
本発明の照明器具は、光を下方に出射させる向きで電気的な光源を保持して天井材に埋込配設される本体部及び前記本体部の上面に突設された複数個の放熱フィンを有する灯体と、上方から見て前記複数個の放熱フィンを覆うカバーと、筒状であって前記放熱フィン間に形成される空冷用流路に一端が連結されたダクトと、前記ダクトに前記一端側から流入する気流を発生させるファンと、前記光源を点灯させる電力と前記ファンを駆動する電力とをそれぞれ生成する電源ブロックとを備え、前記ファンと前記電源ブロックとが、それぞれ前記灯体の側方に配置され、前記カバーは、前記放熱フィンよりも側方に突出して前記ファンと前記電源ブロックとがそれぞれ固定された固定部を有することを特徴とする。
【０００９】
また、上記の照明器具において、前記カバーと前記ダクトとが１部品で構成されていてもよい。
【００１０】
さらに、上記の照明器具において、前記ダクトには、前記気流の向きに直交する断面での前記空冷用流路の断面形状が上流側の部位よりも大きくされたトラップ部が設けられていることが望ましい。
【００１１】
また、上記の照明器具において、前記電源ブロックには前記気流が通過する流路が設けられていることが望ましい。
【００１２】
さらに、上記の照明器具において、前記ファンと前記電源ブロックとがそれぞれ前記ダクトに収納されていてもよい。
【００１３】
別の形態の照明器具は、光を下方に出射させる向きで電気的な光源を保持して天井材に埋込配設される本体部及び前記本体部の上面に突設された複数個の放熱フィンを有する灯体と、上方から見て前記複数個の放熱フィンを覆うカバーと、筒状であって前記放熱フィン間に形成される空冷用流路に一端が連結されたダクトと、前記ダクトに前記一端側から流入する気流を発生させるファンと、前記光源を点灯させる電力と前記ファンを駆動する電力とをそれぞれ生成する電源ブロックとを備え、前記ファンと前記電源ブロックとが、それぞれ前記灯体の側方に配置されていることを特徴とする。また、上記の照明器具において、前記ダクトが柔軟な材料からなることが望ましい。
【発明の効果】
【００１４】
本発明によれば、ファンと電源ブロックとが灯体の側方に配置されているので、ファンや電源ブロックが灯体の上側に配置される場合に比べて上下方向の寸法を小さくすることができる。
【図面の簡単な説明】
【００１５】
【図１】（ａ）（ｂ）はそれぞれ本発明の実施形態を示し、（ａ）は正面図、（ｂ）は平面図である。
【図２】同上の変更例を示す正面図である。
【図３】同上の別の変更例を示す正面図である。
【図４】同上の更に別の変更例を示す正面図である。
【図５】同上の別の変更例を示す正面図である。
【発明を実施するための形態】
【００１６】
以下、本発明を実施するための最良の形態について、図面を参照しながら説明する。
【００１７】
本実施形態は、図１に示すように、光源としての複数個の発光ダイオード１１を保持した灯体１を備え、天井面を構成する天井材２に設けられた埋込穴２０に埋込配設される。以下、上下左右は図１（ａ）を基準とし、図１（ａ）の紙面に直交する方向（図１（ｂ）での上下方向）を前後方向と呼ぶ。
【００１８】
灯体１は、発光ダイオード１１を収納した本体部１２と、本体部１２の下端から水平方向の外向きに突設された鍔部１３とを有する。灯体１は、本体部１２を埋込穴２０に挿通させ、鍔部１３を天井面（天井材２の下面）に当接させる形で固定される。本体部１２は全体として軸方向を上下方向に向けて下方に向かって外径が大きくされた円錐台形状であって、例えば下方に開口した凹部の底面に発光ダイオード１１を保持することで、発光ダイオード１１の光を下方に出射させる。また、鍔部１３は本体部１２を囲む円環形状となっており、本体部１２の外周面と埋込穴２０の内周面との間の隙間は、下方から見て鍔部１３によって覆われる。灯体１を天井材２に固定する手段としては、例えば天井材２を鍔部１３との間で挟む板ばね（図示せず）を本体部１２に取り付ける。
【００１９】
また、本体部１２の上面には、それぞれ厚さ方向を前後方向に向けた複数個（図では６個）の放熱フィン１４が上方に突設されている。放熱フィン１４間には、空冷用流路が形成されている。灯体１において、発光ダイオード１１と放熱フィン１４との間に介在する部材、及び、放熱フィン１４自身は、なるべく熱伝導率が高い材料で構成されていることが望ましい。
【００２０】
さらに、本実施形態は、上方から見て各放熱フィン１４を覆うカバー３を備える。カバー３は例えば金属からなり、カバー３を各放熱フィン１４に固定する手段としてはねじ止めや凹凸係合といった周知の手段を用いることができる。
【００２１】
また、カバー３は放熱フィン１４よりも右方へ延長されており、カバー３において放熱フィン１４よりも右方へ突出した部位の下側には、開口を左右方向に向けたダクト４が固定されている。ダクト４の左端は、放熱フィン１４間に形成された空冷用流路に連結されている。ダクト４はカバー３とは別部品で構成されていてもよいし、カバー３とともに一部品で形成されていてもよい。ダクト４とカバー３とが一体化された部品を製造する方法としては、金属板の曲げ加工や、合成樹脂による成型を用いることができる。
【００２２】
また、ダクト４の右端部には、発光ダイオード１１に電気的に接続されて発光ダイオード１１を点灯させる直流電力を出力する電源ブロック５が収納及び固定されている。上記の電源ブロック５は周知の直流電源回路を用いて実現することができる。電源ブロック５自体の電源としては、電池を用いてもよいし、外部から入力される電力を用いてもよい。外部から給電線を介して入力される電力が用いられる場合、電源ブロック５には、給電線が接続される端子台又はコネクタが設けられる。
【００２３】
さらに、ダクト４内において、電源ブロック５の左側には、破線矢印で示すような右向きの気流を発生させるファン６が収納及び保持されている。ファン６の動作のための電力は電源ブロック５から供給される。電源ブロック５からファン６への給電路を短くするためには、ファン６はなるべく電源ブロック５の近くに配置されることが望ましい。
【００２４】
上記構成によれば、ファン６が灯体１の側方に配置されているので、ファン６が灯体１の上側に配置される場合に比べて上下方向の寸法を小さくすることができる。
【００２５】
また、電源ブロック５がファン６とともにダクト４内に配置されていることで、ファン６の気流による電源ブロック５の空冷が可能となっている。なお、図２に示すように、電源ブロック５において回路部品を収納するケース５１をダクト４とは別途に設け、ダクト４の右側開口よりも右側においてカバー３に固定することも可能ではあるが、本実施形態のほうが部品点数を少なくすることができるという利点がある。図２の例では、カバー３において放熱フィン１４よりも右方に突出した部位が固定部となる。図２の場合であっても、電源ブロック５の冷却のためには、上記のケース５１はファン６の気流が通過するような流路を有する例えば筒状の構造とされることが望ましい。上記のようにファン６の気流によって電源ブロック５の空冷が達成されるようにすれば、電源ブロック５において、必要な放熱量を維持しながらも、部品の間隔を短くすることや放熱フィンの省略による小型化が可能となる。
【００２６】
さらに、放熱フィン１４とファン６と電源ブロック５とが一直線状に並び、且つ、その並ぶ方向である左右方向にファン６が向けられていることで、図３のようにファン６が上下方向に向けられている場合（つまりファン６の位置で気流が略直角に曲げられる場合）に比べて通気抵抗が低くなり空冷の効率が改善される。
【００２７】
ここで、ファン６に埃が到達した場合、ファン６の回転軸に埃が纏わり付くことで、ファン６が発生させる騒音が大きくなる可能性や、ファン６の動作が阻害される可能性がある。本実施形態では、ファン６が放熱フィン１４よりも下流側である右側に配置され、且つ、ファン６の上側がダクト４及びカバー３で覆われているので、ファン６が吸気側の端に配置される場合や、ファン６が上方から見て露出する場合に比べ、ファン６に埃が到達しにくい。
【００２８】
さらに、ダクト４の左端部では、放熱フィン１４の間よりも、各放熱フィン１４の断面積の分だけ、上記の気流の流路の断面積が小さくなっている。これにより、ダクト４の左端部は、上記の気流の流速が低下するトラップ部となっており、このトラップ部で埃が落下しやすいから、上記のようなトラップ部がない場合に比べてファン６に埃が到達しにくい。さらに、ダクト４において、図４に示すように気流の流路を拡大するトラップ部４１を設けてもよい。
【００２９】
また、ダクト４を柔軟な合成樹脂や金属などの材料で形成することで変形可能とすれば、図５に示すように電源ブロック５とファン６とを天井材２上に載置することができる。さらに、ダクト４として、ひだ状の構造を有するもの（いわゆるベローズ）を用いれば、さらにダクト４を変形させやすくなる。
【００３０】
なお、複数個の放熱フィン１４は、上記のように互いに対向する板状に限られず、例えば林立するピン状であってもよい。
【符号の説明】
【００３１】
１  灯体
２  天井材
３  カバー
４  ダクト
５  電源ブロック
６  ファン
１１  発光ダイオード（光源）
１２  本体部
１４  放熱フィン
４１  トラップ部
【図１】
0005877367.tif 000002
【図２】
0005877367.tif 000003
【図３】
0005877367.tif 000004
【図４】
0005877367.tif 000005
【図５】
0005877367.tif 000006